(57)【要約】      （修正有）【課題】無線通信環境において、動的にアドレスを割り当て、ホームネットワークリンクを管理するためのシステム及び方法を提供する。【解決手段】無線ネットワーク内のゲートウェイ装置と接続を確立する。ホームモビリティオプションを特定する設定パケットをゲートウェイ装置から受信する。ホームモビリティオプションの少なくとも１つのホームネットワークアドレスを処理する。ホームモビリティオプションのホームネットワークプレフィックスを受け取り、または処理する。【選択図】図１
2014241612.tif 000002
【特許請求の範囲】
【請求項１】
無線通信のための方法、該方法は下記を備える：
コンピュータ可読記憶媒体に記憶されたコンピュータ実行可能命令を実行するプロセッサを使用して、下記動作を実施すること：
無線ネットワーク内のゲートウェイ装置と接続を確立すること；
ホームモビリティオプションを特定する設定パケットを前記ゲートウェイ装置から受信すること；および、
前記ホームモビリティオプションの少なくとも１つのホームネットワークアドレスを処理すること。
【請求項２】
前記ホームモビリティオプションから、ホームネットワークプレフィックスを受け取ることをさらに備える、請求項１に記載の方法。
【請求項３】
前記設定パケットがプロトコル設定オプションに関連する、請求項１に記載の方法。
【請求項４】
前記ゲートウェイ装置がＰＤＮゲートウェイである、請求項１に記載の方法。
【請求項５】
前記ホームネットワークアドレスを求めるために、インターネット鍵交換プロトコルによるブートストラップ動作を行うことをさらに備える、請求項１に記載の方法。
【請求項６】
現在のアクセスリンクを介して告知されるプレフィックスを処理し、ホームネットワークプレフィックスを処理することにより、ホームリンクアドレスを復号することをさらに備える、請求項１に記載の方法。
【請求項７】
前記ホームネットワークプレフィックスをユーザ機器において静的に設定し、または前記ユーザ機器に動的に割り当てる、請求項６に記載の方法。
【請求項８】
ホームリンクから外部リンクに移動するとき、ＩＰアドレスを保存することをさらに備える、請求項１に記載の方法。
【請求項９】
前に割り当てられたＩＰアドレスが指示するホームエージェントエンティティに接続することをさらに備える、請求項８に記載の方法。
【請求項１０】
プロトコル設定オプションによって前記ＩＰアドレスを受け取り、前記ＩＰアドレスを前記外部リンク上で使用する、請求項９に記載の方法。
【請求項１１】
汎用パケット無線サービストンネリングプロトコル（ＧＴＰ）のＡＰＮと、ホームエージェントのＡＰＮとの間でマッピングを行うことをさらに備える、請求項１に記載の方法。
【請求項１２】
ＰＤＮゲートウェイ装置を指し示すＡＰＮの種類を得ることにより、前記ＧＴＰと前記ホームエージェントとの間で自動マッピングを行うことをさらに備える、請求項１１に記載の方法。
【請求項１３】
前記自動マッピングは、少なくとも１つのＡＰＮが、少なくとも１つのＰＤＮゲートウェイ装置へのアクセスを提供するＧＴＰ終端点を指示することを可能にすることをさらに備える、請求項１２に記載の方法。
【請求項１４】
前記自動マッピングは、少なくとも１つのホームエージェントのＡＰＮが、少なくとも１つのＰＤＮゲートウェイ装置へのアクセスを提供するＤＳＭＩＰ終端点を指示することを可能にすることをさらに備える、請求項１２に記載の方法。
【請求項１５】
前記自動マッピングは、少なくとも１つのローカルモビリティエージェントのＡＰＮが、少なくとも１つのＰＤＮゲートウェイ装置へのアクセスを提供するＰＭＩＰ終端点を指示することを可能にすることをさらに備える、請求項１２に記載の方法。
【請求項１６】
１つまたは複数のインターフェースを介してＡＰＮ間で情報をマップすることをさらに備える、請求項１１に記載の方法。
【請求項１７】
前記ホームネットワークアドレスが、ＤＳＭＩＰまたはＰＭＩＰに関連する、請求項１に記載の方法。
【請求項１８】
少なくとも１つの無線装置と少なくとも１つのゲートウェイ装置との間にリンクを確立し、前記ゲートウェイ装置によって動的割当を受け取り、前記割当によってホームネットワークプレフィックスを受け取るための命令を保持するメモリと、
前記命令を実行するプロセッサと
を備える、通信機器。
【請求項１９】
前記割当によってホームネットワークアドレスを受け取ることをさらに備える、請求項１８に記載の機器。
【請求項２０】
前記ゲートウェイ装置がパケットデータ網ゲートウェイである、請求項１８に記載の機器。
【請求項２１】
非適応型装置を設定するために、インターネット鍵交換プロトコルを使用することをさらに備える、請求項１８に記載の機器。
【請求項２２】
前記ホームネットワークプレフィックスをユーザ機器において静的に設定し、または前記ユーザ機器に動的に割り当てる、請求項１８に記載の機器。
【請求項２３】
ホームリンクから外部リンクに移動するとき、ＩＰアドレスを保存するためのコンポーネントをさらに備える、請求項１８に記載の機器。
【請求項２４】
汎用パケット無線サービストンネリングプロトコル（ＧＴＰ）のＡＰＮと、ホームエージェントのＡＰＮとの間でマッピングを行うためのコンポーネントをさらに備える、請求項１８に記載の機器。
【請求項２５】
無線ネットワークを介してホームネットワークリンク情報を受信するための手段と、
前記無線ネットワークを通じて動的設定オプションパケットを受信するための手段と、
前記動的設定オプションパケットの少なくとも１つのホームネットワークアドレスを処理するための手段と
を備える、通信機器。
【請求項２６】
前記動的設定オプションパケットがホームネットワークプレフィックスを含む、請求項２５に記載の機器。
【請求項２７】
下記が記録されたコンピュータ可読記録媒体：
無線ネットワークを通じて設定オプションパケットを受信する動作を実装するＣＰＵ実行可能命令コード；
前記設定オプションパケットによってＨＮＡを受け取る動作を実装するＣＰＵ実行可能命令コード；
前記設定オプションパケットによってＨＮＰを受け取る動作を実装するＣＰＵ実行可能命令コード、
ただし、ホームネットワーク接続を確立するために前記ＨＮＡまたは前記ＨＮＰが使用される。
【請求項２８】
前記ＨＮＡまたは前記ＨＮＰが、ＤＳＭＩＰまたはＰＭＩＰに関連する、請求項２７に記載のコンピュータ可読記録媒体。
【請求項２９】
前記設定オプションパケットはネットワークゲートウェイ装置から受信される、請求項２７に記載のコンピュータ可読記録媒体。
【請求項３０】
下記を実行するプロセッサ：
無線ネットワークを通じて動的ネットワーク割当を受信すること；
前記動的割当によるＨＮＡを処理すること；
前記動的割当によるＨＮＰを処理すること、
ただし、少なくとも１つのホームネットワーク接続を確立するために前記ＨＮＡまたは前記ＨＮＰが使用される。
【請求項３１】
前記動的ネットワーク割当が、ホームリンクから外部リンクにネットワーク割当を移すためのコンポーネントに関連する、請求項３０に記載のプロセッサ。
【請求項３２】
少なくとも２つのゲートウェイコンポーネント間でプロトコルをマップするためのコンポーネントをさらに備える、請求項３０に記載のプロセッサ。
【請求項３３】
無線通信のための方法、該方法は下記を備える：
コンピュータ可読記憶媒体に記憶されたコンピュータ実行可能命令を実行するプロセッサを使用し、下記を実施すること：
無線ネットワーク内の無線装置と接続を確立すること；
ホームモビリティオプションを特定する設定パケットを生成すること；および、
前記ホームモビリティオプションに従い、少なくとも１つのホームネットワークプレフィックスを生成すること。
【請求項３４】
前記ホームモビリティオプションに従い、ホームネットワークアドレスを生成することをさらに備える、請求項３３に記載の方法。
【請求項３５】
前記設定パケットを生成するためにパケットデータ網（ＰＤＮ）ゲートウェイを利用することをさらに備える、請求項３３に記載の方法。
【請求項３６】
インターネット鍵交換プロトコルによるブートストラップ動作を行うことをさらに備える、請求項３３に記載の方法。
【請求項３７】
現在のアクセスリンクを介して告知されるプレフィックスを処理し、ホームネットワークプレフィックスを処理することにより、ホームリンクアドレスを符号化することをさらに備える、請求項３３に記載の方法。
【請求項３８】
前記ホームネットワークプレフィックスをユーザ機器において静的に設定し、または前記ユーザ機器に動的に割り当てる、請求項３７に記載の方法。
【請求項３９】
ホームリンクから外部リンクに移動するとき、ＩＰアドレスを保存することをさらに備える、請求項３３に記載の方法。
【請求項４０】
汎用パケット無線サービストンネリングプロトコル（ＧＴＰ）のＡＰＮと、ホームエージェントのＡＰＮとの間でマッピングを行うことをさらに備える、請求項３３に記載の方法。
【請求項４１】
少なくとも１つの無線装置と少なくとも１つのゲートウェイ装置との間にリンクを確立し、前記ゲートウェイ装置によって動的割当を生成し、前記割当によってホームネットワークプレフィックスを生成するための命令を保持するメモリと、
前記命令を実行するプロセッサと
を備える、通信機器。
【請求項４２】
前記割当によってホームネットワークアドレスを生成することをさらに備える、請求項４１に記載の機器。
【請求項４３】
非適応型装置を設定するために、インターネット鍵交換プロトコルを使用することをさらに備える、請求項４１に記載の機器。
【請求項４４】
前記ホームネットワークプレフィックスを前記ユーザ機器に動的に割り当てる、請求項４１に記載の機器。
【請求項４５】
ホームリンクから外部リンクに移動するとき、ＩＰアドレスを保存するためのコンポーネントをさらに備える、請求項４１に記載の機器。
【請求項４６】
無線ネットワークを介してホームネットワークリンク情報を生成するための手段と、
前記無線ネットワークを通じて動的設定オプションパケットを生成するための手段と、
前記動的設定オプションパケットに従い、少なくとも１つのホームネットワークプレフィックスを処理するための手段と
を備える、通信機器。
【請求項４７】
前記動的設定オプションパケットがホームネットワークアドレスを含む、請求項４６に記載の機器。
【請求項４８】
下記が記録されたコンピュータ可読記録媒体：
無線ネットワークを通じて設定オプションパケットを生成する動作を実装するＣＰＵ実行可能命令コード；
前記設定オプションパケットによってＨＮＡを生成する動作を実装するＣＰＵ実行可能命令コード；
前記設定オプションパケットによってＨＮＰを処理する動作を実装するＣＰＵ実行可能命令コード、
ただし、ホームネットワーク接続を確立するために前記ＨＮＡまたは前記ＨＮＰが使用される。
【請求項４９】
前記ＨＮＡまたは前記ＨＮＰが、ＤＳＭＩＰまたはＰＭＩＰに関連する、請求項４８に記載のコンピュータ可読媒体。
【請求項５０】
下記を実行するプロセッサ：
無線ネットワークを通じて動的ネットワーク割当を生成すること；
前記動的割当によるＨＮＡを処理すること；および、
前記動的割当によるＨＮＰを生成すること、
ただし、少なくとも１つのホームネットワーク接続を確立するために前記ＨＮＡまたは前記ＨＮＰが使用される。
【請求項５１】
前記動的ネットワーク割当が、ホームリンクから外部リンクにネットワーク割当を移すためのコンポーネントに関連する、請求項５０に記載のプロセッサ。
【発明の詳細な説明】
【技術分野】
【０００１】
米国特許法第１１９条に基づく優先権の主張。
【０００２】
本出願は、参照によりその全体が本明細書に組み込まれる、「ＤＹＮＡＭＩＣ  ＨＯＭＥ  ＮＥＴＷＯＲＫ  ＰＲＥＦＩＸ  ＡＳＳＩＧＮＭＥＮＴ」と題され、２００８年３月２４日に出願された米国仮特許出願第６１／０３８，８２９号の利益を主張するものである。
【背景技術】
【０００３】
以下の記載は、概して無線通信システムに関し、より詳細には、モバイル・インターネットプロトコル（ＭＩＰ）を使用するネットワークのホームリンクアドレスおよびプレフィックス指示子（prefix designator）の動的割当に関する。
【０００４】
無線通信システムは、音声、データなどの様々な種類の通信コンテンツを提供するために広く展開されている。これらのシステムは、利用可能なシステムリソース（例えば帯域幅や伝送電力）を共用することにより、複数のユーザとの通信をサポートすることができる多元接続システムとすることができる。こうした多元接続システムの例には、符号分割多元接続（ＣＤＭＡ）システム、時分割多元接続（ＴＤＭＡ）システム、周波数分割多元接続（ＦＤＭＡ）システム、Ｅ−ＵＴＲＡを含む３ＧＰＰ  ＬＴＥ（ロングタームエボリューション）システム、および直交周波数分割多元接続（ＯＦＤＭＡ）システムが含まれる。
【０００５】
直交周波数分割多元（ＯＦＤＭ）通信システムは、全体的なシステムの帯域幅を、周波数サブチャネル、トーン、または周波数ビンとも呼ぶことができる複数の（ＮＦ）サブキャリアへと効果的に分割する。ＯＦＤＭシステムでは、伝送しようとするデータ（すなわち情報ビット）を、符号化ビットを生成するための特定の符号化方式を用いてまず符号化し、その符号化ビットを複数ビットのシンボルへとさらにグループ化し、それを変調シンボルにマップする。各変調シンボルは、データ伝送に使用される特定の変調方式（例えばＭ−ＰＳＫやＭ−ＱＡＭ）によって定義される信号点配置の点に対応する。各周波数サブキャリアの帯域幅に依拠することができる各時間間隔において、ＮＦ個の周波数サブキャリアのそれぞれにより、変調シンボルを伝送することができる。したがって、ＯＦＤＭを使用し、システムの帯域幅にわたる様々な量の減衰によって特徴づけられる周波数選択性フェージングが引き起こす、符号間干渉（ＩＳＩ）に対処することができる。
【０００６】
概して、無線多元接続通信システムは、順方向リンクおよび逆方向リンク上の伝送により１つまたは複数の基地局と通信する複数の無線端末の通信を同時にサポートすることができる。この順方向リンク（またはダウンリンク）は基地局から端末への通信リンクを指し、逆方向リンク（またはアップリンク）は端末から基地局への通信リンクを指す。この通信リンクは、単一入力単一出力システム、多入力単一出力システム、または多入力多出力（ＭＩＭＯ）システムによって確立することができる。
【０００７】
ＭＩＭＯシステムは、データを伝送するために、複数の（ＮＴ個の）伝送アンテナおよび複数の（ＮＲ個の）受信アンテナを使用する。このＮＴ個の伝送アンテナおよびＮＲ個の受信アンテナによって形成されるＭＩＭＯチャネルは、空間チャネルとも呼ぶＮＳ個の独立チャネルへと分解することができ、ただし、ＮＳ≦ｍｉｎ｛ＮＴ，ＮＲ｝である。概して、ＮＳ個の独立チャネルのそれぞれは次元に対応する。ＭＩＭＯシステムは、この複数の伝送アンテナおよび受信アンテナが作り出す追加の次元を利用する場合、性能の向上（例えば、より高いスループットおよび／またはさらなる信頼性）をもたらすことができる。ＭＩＭＯシステムは、時分割二重（ＴＤＤ）システムおよび周波数分割二重（ＦＤＤ）システムもサポートする。ＴＤＤシステムでは、順方向リンク伝送と逆方向リンク伝送とが同じ周波数領域上にあり、そのため、相反定理が逆方向リンクチャネルから順方向リンクチャネルを推定することを可能にする。このことは、あるアクセスポイントにおいて複数のアンテナが利用できる場合、そのアクセスポイントが、順方向リンク上の伝送ビーム形成利得を抽出することを可能にする。
【０００８】
そうした無線システムに関係するものには、無線ユーザ機器（ＵＥ）または無線ユーザ装置とデータを交換するための、モバイル・インターネットプロトコル（ＭＩＰ）の応用例が含まれる。ＭＩＰの一側面には、移動ノードとホームエージェントとの間のブートストラップ動作を行うためのインターネット鍵交換（ＩＫＥ）プロトコルに概して基づいて、ホームネットワークプレフィックス（ＨＮＰ）を割り当てることが含まれる。特定のアクセスリンクがＵＥ用のホームリンクとして望まれる場合において、後になってその移動ノードがすでにホームリンク内にあることを知るために、該移動ノードがＩＫＥによってブートストラップすることが必須とされ、その結果として、性能の劣化を引き起こすということは望ましくない場合がある。１つの可能性は、融通が利かず柔軟性のないオプションである、移動ノードを静的に構成することである。先に述べたように、もう１つのオプションはＩＫＥプロトコルによって構成することだが、このオプションは所望のホームネットワークアドレスを実際に決定するために様々なハンドシェーキングを必要とし得るので、最良の性能解決策を提供しない可能性がある。こうした解決策はさらに、他のネットワークに移動し、それでもなおホームネットワークアドレスを管理することを困難にする場合がある。
【発明の概要】
【０００９】
以下の内容は、特許請求の範囲に記載の主題の一部の態様についての基本的な理解を得るための、簡略化した概要を示す。この概要は広範な概説ではなく、主要な／不可欠な要素を特定し、または特許請求の範囲に記載の主題の範囲を詳細に説明することを意図していない。この概要の唯一の目的は、後に示すより詳細な説明への導入部として一部の概念を簡略化した形式で示すことである。
【００１０】
無線通信環境において、動的にアドレスを割り当て、ホームネットワークリンクを管理するためのシステムおよび方法を提供する。ＵＥと、例えばパケットデータ網（ＰＤＮ）、ホームエージェント（ＨＡ）、汎用パケット無線サービスサポートノード（ＧＧＳＮ）用ゲートウェイなどのゲートウェイ装置との間でインターネット鍵交換ＩＫＥブートストラップ動作を実行せず、ホームネットワークアドレス（ＨＮＡ）またはホームネットワークプレフィックス（ＨＮＰ）を移動ノード（ＵＥ）に動的に割り当てるための、アクセス固有の解決策を提供する。動的割当用に構成されていない移動ノードでは、ＩＫＥブートストラップ動作を使用することもできる。そうした割当は、例えばデュアルスタックＭＩＰ（ＤＳＭＩＰ）やプロキシＭＩＰ（ＰＭＩＰ）などの、モバイル・インターネットプロトコル（ＭＩＰ）に基づくことができる。３ＧＰＰアクセスリンク（ＥＰＳベアラまたはＰＤＰコンテキスト）を確立すると、プロトコル設定オプション（ＰＣＯ）を動的に交換することにより、ＵＥとゲートウェイとの間で特定の追加情報要素を交換することができる。例えば、ＭＩＰまたはＤＳＭＩＰ（例えばバージョン６）ホームネットワークプレフィックスは、ＰＣＯの中で交換されるそれらの情報要素のうちの１つであり得る。次いでＵＥは、自らが個々のホームリンク内に位置するのか、またはそうでないリンク（例えばＭＩＰ／ＤＳＭＩＰプロトコルに関連するホームリンク）内に位置するのかを見出すために、受信したホームネットワークオプション（ＨＮＯ）を使用することができる。
【００１１】
上述のおよび関係する目的を達成するため、以下の説明および付属図面に関連して特定の説明のための態様を本明細書に記載する。ただし、これらの態様は、特許請求の範囲に記載の主題の原理を使用することができる様々な方法のほんの数例を示すに過ぎず、特許請求の範囲に記載の主題はそのような態様およびそれらの態様の均等物の全てを含むことを意図する。以下の詳細な説明を諸図面と併せて検討する場合、他の利点および新規の特徴が明らかになる場合がある。
【図面の簡単な説明】
【００１２】
【図１】無線通信環境において動的ホームリンク割当を使用するシステムのハイレベルブロック図。
【図２】無線システムに関するホームリンク割当機能を示すシステムの図。
【図３】アクセスプロトコル間のマッピングの一例を示すシステムの図。
【図４】非３ＧＰＰアクセスのアーキテクチャ強化に関係するプロトコル変更を示す図。
【図５】無線通信方法がホームリンク割当を動的に生成することを示す図。
【図６】無線プロトコルに関する論理モジュールの一例を示す図。
【図７】代替無線プロトコルに関する論理モジュールの一例を示す図。
【図８】無線プロトコルを使用する通信機器の一例を示す図。
【図９】多元接続無線通信システムを示す図。
【図１０】通信システムの一例を示す図。
【図１１】通信システムの一例を示す図。
【発明を実施するための形態】
【００１３】
移動体無線アプリケーションに関して、ネットワークアドレスを動的に生成し、管理するためのシステムおよび方法を提供する。一態様では、無線通信のための方法を提供する。この方法は、様々な動作を実施するために、コンピュータ可読記憶媒体に記憶されたコンピュータ実行可能命令を実行するプロセッサを使用する。この方法は、無線ネットワーク内のゲートウェイ装置と接続を確立することを含む。この方法は、ホームモビリティオプションを特定する設定パケットをゲートウェイ装置から受信することを含む。この方法は、ホームモビリティオプションの少なくとも１つのホームネットワークアドレスを処理する。この方法は、ホームモビリティオプションのホームネットワークプレフィックスを受け取り、または処理することも含む。
【００１４】
次に図１を参照すると、無線通信システムに関し、動的ホームリンク割当が生成されている。このシステム１００は、無線ネットワーク１１０を介して１つまたは複数の第２の装置１３０と通信可能なエンティティとすることができる、１つまたは複数の基地局１２０（ノード、発展型ノードＢ−ｅＮＢ、フェムト局、ピコ局などとも呼ぶ）を含む。例えば、各装置１３０は、アクセス端末（端末、ユーザ機器、モビリティ管理エンティティ（ＭＭＥ）、または移動体装置とも呼ぶ）とすることができる。基地局１２０は、ダウンリンク１４０を介して装置１３０と通信し、アップリンク１５０を介してデータを受信する。こうしたアップリンクおよびダウンリンクとしての指定は任意なので、装置１３０は、ダウンリンクチャネルを介してデータを伝送し、アップリンクチャネルを介してデータを受信することもできる。２つのコンポーネント１２０および１３０を図示するが、ネットワーク１１０上で３つ以上のコンポーネントを使用でき、そのような追加コンポーネントも同様に本明細書に記載の無線プロトコルに適応させることができることを指摘しておく。図示のように、ユーザ機器１３０に対してホームリンク情報を動的に割り当てるために、１つまたは複数のゲートウェイ装置１６０を設ける。このゲートウェイ１６０は、動的設定オプションパケット１７０により、そうした割当情報を提供することができる。ゲートウェイ装置１６０は、無線ネットワーク１１０上の個別のノードとすることができることを指摘しておく。ゲートウェイ装置１６０は、１つまたは複数の他の装置に組み込むこともできる。例えば、このゲートウェイ装置を、基地局１２０および／またはユーザ機器１３０に組み込むことができる。
【００１５】
一態様ではこのシステム１００は、無線通信環境において、アドレスを動的に割り当て、ホームネットワークリンクを管理するために使用する。ＵＥとゲートウェイ装置１６０との間でインターネット鍵交換ＩＫＥブートストラップ動作を実行せず、設定オプション１７０により、ホームネットワークアドレス（ＨＮＡ）またはホームネットワークプレフィックス（ＨＮＰ）をユーザ機器１３０に動的に割り当てるための、アクセス固有の解決策を提供する。このゲートウェイ装置には、例えばパケットデータ網（ＰＤＮ）ゲートウェイ、ホームエージェント（ＨＡ）、ローカルモビリティエージェント（ＬＭＡ）、または汎用パケット無線サービスサポートノード（ＧＧＳＮ）用ゲートウェイが含まれ得る。動的割当用に構成されていない移動体装置１３０では、ＩＫＥブートストラップ動作を使用することもできる。そうした割当は、例えばデュアルスタックＭＩＰ（ＤＳＭＩＰ）やプロキシＭＩＰ（ＰＭＩＰ）などの、モバイル・インターネットプロトコル（ＭＩＰ）に基づくことができる。３ＧＰＰアクセスリンク（ＥＰＳベアラまたはＰＤＰコンテキスト）を確立すると、プロトコル設定オプション（ＰＣＯ）１７０を動的に交換することにより、ＵＥとゲートウェイとの間で特定の追加情報要素を交換することができる。例えば、ＭＩＰまたはＤＳＭＩＰ（例えばバージョン６）ホームネットワークプレフィックスは、ＰＣＯ１７０の中で交換されるそれらの情報要素のうちの１つであり得る。次いでＵＥ１３０は、自らが個々のホームリンク内に位置するのか、または他のネットワークリンク（例えばＭＩＰ／ＤＳＭＩＰプロトコルに関連するホームリンク）内に位置するのかを見出すために、受信したホームネットワークオプション（ＨＮＯ）を使用することができる。
【００１６】
図２〜図４の動的割当プロトコルについてのより詳細な解説に移る前に、無線モビリティサポートを提供するとき、いくつかの側面を考慮することを指摘しておく。そのような側面には、例えば仕様ＴＳ  ２３．４０２／２３．４０１「Ａｒｃｈｉｔｅｃｔｕｒｅ  Ｅｎｈａｎｃｅｍｅｎｔｓ  ｆｏｒ  ｎｏｎ−３ＧＰＰ  ａｃｃｅｓｓｅｓ」が含まれ、この仕様では３ＧＰＰアクセスをＤＳＭＩＰｖ６のホームリンクとみなす。特許請求の範囲に記載の主題は、例えば、ＰＤＮゲートウェイ１６０に関してホストベースモビリティがサポートされているかどうかを、ＤＳＭＩＰｖ６対応のＵＥ１３０が判定する方法を検討する。これには、例えば、ＤＳＭＩＰｖ６対応のＵＥが、自らがＤＳＭＩＰｖ６のホームリンク内にあることを判定する方法、およびＤＳＭＩＰｖ６対応のＵＥがホームリンクから外部リンクに移動するとき、そのＤＳＭＩＰｖ６対応のＵＥが、ＩＰアドレスを保存することができることを容易にするための方法を検討することが含まれる。他の考慮事項は、以下により詳細に説明する、汎用パケット無線サービストンネリングプロトコル（ＧＴＰ）のアクセスポイント名（ＡＰＮ）と、ホームエージェントのアクセスポイント名（ＨＡ−ＡＰＮ）との間のマッピングを決定することに関係する。概して、ＨＡ−ＡＰＮは、ドメイン名サービス（ＤＮＳ）において常に同じＩＰアドレスに解決されるとは限らない場合がある。以下に記載するホームエージェント（ＨＡ）機能と、ＧＴＰ終端とは、１つのＰＤＮゲートウェイ１６０内で別のＩＰアドレスを有する場合がある。概して、すべてのＰＤＮゲートウェイ１６０がホームエージェント機能をサポートするとは限らず、そのため、以下に記載する他の処理考慮事項を提供する。また、ホストベースモビリティも、すべてのＰＤＮゲートウェイに提供されるとは限らない場合がある。
【００１７】
このシステム１００は、アクセス端末または移動体装置を用いて使用することができ、例えばＳＤカード、ネットワークカード、無線ネットワークカード、（ラップトップ、デスクトップ、ＰＤＡ（携帯情報端末）を含む）コンピュータ、携帯電話、スマートフォン、ネットワークにアクセスするために利用可能な他の任意の適切な端末などのモジュールとすることができることを指摘しておく。この端末は、アクセスコンポーネント（図示せず）を介してネットワークにアクセスする。一例では、この端末とアクセスコンポーネントとの間の接続は本質的に無線とすることができ、アクセスコンポーネントは基地局とすることができ、移動体装置は無線端末である。例えば、この端末と基地局とは、時分割多元接続（ＴＤＭＡ）、符号分割多元接続（ＣＤＭＡ）、周波数分割多元接続（ＦＤＭＡ）、直交周波数分割多重化（ＯＦＤＭ）、フラッシュＯＦＤＭ、直交周波数分割多元接続（ＯＦＤＭＡ）、または他の任意の適切なプロトコルを含むがこれだけに限定されない、任意の適切な無線プロトコルを介して通信することができる。
【００１８】
アクセスコンポーネントは、有線ネットワークまたは無線ネットワークに関連するアクセスノードとすることができる。そのためには、アクセスコンポーネントは、例えばルータ、スイッチなどとすることができる。このアクセスコンポーネントは、他のネットワークノードと通信するための１つまたは複数のインターフェース、例えば通信モジュールを含むことができる。さらに、このアクセスコンポーネントは、セルラー式ネットワーク内の基地局（または無線アクセスポイント）とすることができ、基地局（または無線アクセスポイント）は、複数の加入者に無線カバレッジエリアを提供するために利用される。こうした基地局（または無線アクセスポイント）は、１台もしくは複数台の携帯電話および／または他の無線端末に、切れ目のないカバレッジエリアを提供するように構成することができる。
【００１９】
次に図２を参照すると、無線システムに関するホームリンク割当機能をシステム２００は示している。図示のように、ユーザ機器またはユーザ装置２１０は、ホームリンク情報を受信するために１つまたは複数のゲートウェイ装置２２０と通信する。２３０で、ホームモビリティサポートが考慮に入れられる。つまり、ＰＤＮなどのゲートウェイ２２０に関してホストベースモビリティがサポートされているかどうかを、ＤＳＭＩＰｖ６対応のＵＥ２１０がどのように判定するのかが考慮に入れられる。ＵＥ２１０が、ホストベースモビリティを備えるＰＤＮ２２０に最初に接続する場合、ホストベースモビリティがサポートされていることを、成功したＩＫＥｖ２ブートストラップ自体が伝える。ＵＥ２１０が、ネットワークベースモビリティに接続する場合、個々のＰＤＮに関してホストベースモビリティがサポートされているかどうかを、そのＵＥ２１０はどのように判定するのかに関して考慮される。一態様では、接続するＰＤＮ２２０に関してホストベースモビリティがサポートされている場合、そのゲートウェイは、ホームアドレス（ＨＡ）インターネットプロトコル（ＩＰ）アドレスを、ＰＤＮ接続のセットアップ時にＵＥ２１０に送らなければならない。デフォルトベアラの確立時に、共配置された（collocated）ＨＡアドレスをリクエストし、配送するために、プロトコル設定オプション（ＰＣＯ）を使用することができる。このＰＣＯから、ＰＤＮ接続を再確立するために、指示されたＨＡアドレスに対するＩＫＥｖ２を後にブートストラップできることを、「統合されたＵＥ」は理解する。「統合されていないＵＥ」（または非適応型）は、このＰＤＮ２２０に関してホストベースモビリティがサポートされているかどうかを判定するために、ＩＫＥｖ２をブートストラップしなければならない。
【００２０】
２４０で、ホームリンクの判定を考慮する。この態様では、ＤＳＭＩＰｖ６対応のＵＥ２１０が、自らがＤＳＭＩＰｖ６のホームリンク内にあることを判定する方法を考慮する。あるリンクがＤＳＭＩＰｖ６ホームリンクかどうかを判定するには、ＵＥは、現在のアクセスリンクを介して告知される１つまたは複数のＩＰｖ６プレフィックスと、ＤＳＭＩＰｖ６ホームネットワークプレフィックス（ＨＮＰ）とを判定しなければならない。ＩＰｖ６プレフィックスの告知は３ＧＰＰのアクセスリンクから分かり、これはＴＳ  ２３．４０１仕様およびＴＳ  ２３．０６０仕様に記載されている。ホームネットワークプレフィックス（ＨＮＰ）は、ＵＥ２１０において静的に設定し、またはこのＵＥに動的に割り当てることができる。このＨＮＰは、ＩＫＥｖ２ブートストラップ動作中に動的に割り当てることができ、所望の場合は３ＧＰＰ固有の機構も定義することができる。可能性がある３ＧＰＰ固有の解決策は、ＰＣＯ内のＨＡアドレスとともに、ＨＮＰをＵＥ２１０に指示することができる。したがって、「統合されたＵＥ」は、ホームリンクを検出するためにＩＫＥｖ２をブートストラップする必要がない。「統合されていないＵＥ」は、ホームリンクを検出するためにＩＫＥｖ２をブートストラップする。
【００２１】
２５０で、ＩＰアドレスの保存を考慮する。この態様では、ＤＳＭＩＰｖ６対応のＵＥ２１０がホームリンクから外部リンクに移動するとき、そのＤＳＭＩＰｖ６対応のＵＥ２１０が、ＩＰアドレスを保存することができることを容易にするための方法を考慮する。ホストベースモビリティを有するＩＰアドレスを保存するために、ＵＥ２１０は、すでに割り当てられているＩＰアドレスが指し示すホームエージェントエンティティ（またはゲートウェイ）に接続する。「統合されたＵＥ」は、ＰＣＯ内で受け取った情報に基づいてホームリンクの検出を行うことができる。このＰＣＯ情報は、ホームアドレスＩＰアドレスを含む。したがって、このＵＥは、外部リンク上でどのＨＡ  ＩＰアドレスを使用するのかが分かる。「統合されていないＵＥ」は、このホームリンクの検出をＩＫＥｖ２ブートストラップ動作に基づいて行う。このブートストラップ動作で、このＵＥはすでにＨＡ
ＩＰアドレスを発見している。したがって、このＵＥは、外部リンク上でどのＨＡ  ＩＰアドレスを使用するのかが分かる。
【００２２】
図３に移ると、アクセスプロトコル間のマッピングの一例をシステム３００は示す。この例では、マッピングコンポーネント３１０が、汎用パケット無線サービストンネリングプロトコル（ＧＴＰ）のアクセスポイント名（ＡＰＮ）３２０と、ホームエージェント（ＨＡ）のＡＰＮ３３０とをリンクする。このマッピングには、「ＧＴＰ  ＡＰＮ」と、対応する「ＨＡ  ＡＰＮ」との間の定義済み自動マッピングが含まれ、各３ＧＰＰエンティティは、１つのＡＰＮからの場合、同じＰＤＮを指し示す実質的にすべてのＡＰＮの種類を得ることができる。「ＧＴＰ  ＡＰＮ」と「ＨＡ  ＡＰＮ」との間の定義済みマッピングがない場合、ＡＰＮ間のマッピング情報は様々なコンポーネントのインターフェースで伝達することができる。ＡＰＮ  ｘｙｚ．．．（ｘｙｚは正の整数）が、ＰＤＮ  ａｂｃ．．．（ａｂｃは正の整数）へのアクセスを提供するＧＴＰ終端点を示すなど、様々なマッピングを行うことができる。別の事例では、ＨＡ  ＡＰＮ  ｘｙｚが、ＰＤＮ  ａｂｃへのアクセスを提供するＤＳＭＩＰｖ６終端点（ＨＡ機能）を示す。さらに別の例では、ローカルモビリティエージェント（ＬＭＡ）のＡＰＮ  ｘｙｚが、ＰＤＮ  ａｂｃへのアクセスを提供するプロキシＭＩＰ（ＰＭＩＰｖ６）終端点（ＬＭＡ機能）を示す。
【００２３】
図４を参照すると、非３ＧＰＰアクセスのアーキテクチャの拡張仕様に関係するプロトコル変更４００が示されている。４１０で、仕様２３．４０２が、現在のＩＰｖ６プレフィックスとホームネットワークプレフィックスとの比較に基づくホームリンク検出機能を規定する。サポートされる動的ＨＮＰプレフィックス割当機構は、ＩＫＥｖ２ブートストラップ動作、およびアクセス固有の機構、例えばＴＳ  ２３．４０１のＰＣＯである。４２０で、仕様２３．４０１は、ＤＳＭＩＰｖ６対応のＵＥが、デフォルトベアラの確立時にＰＣＯ内のＤＳＭＩＰｖ６情報を要求することができると規定する。ＤＳＭＩＰｖ６ホームリンク対応のゲートウェイが、ＰＣＯ内でＤＳＭＩＰｖ６情報をＵＥに送り返し、その際、ホームアドレスＩＰアドレスはほとんどの場合必須であり、ホームネットワークプレフィックスはほとんどの場合オプションである。
【００２４】
次に図５を参照すると、無線通信の方法体系５００が示されている。この方法体系（および本明細書に記載の他の方法体系）は、説明を簡単にするために一連の動作として図示し、説明するが、これらの方法体系は動作の順序によって限定されないため、１つまたは複数の実施形態によれば、一部の動作は異なる順序で生じることができかつ／または、本明細書に図示し説明する他の動作と同時並列的に生じることができることを理解し、認識すべきである。例えば、ある方法体系は、状態図においてなど、互いに関係する一連の状態または事象として代替的に表すことができることを当業者なら理解し、認識されよう。さらに、特許請求の範囲に記載の主題に従ってある方法体系を実施するために、図示するすべての動作を利用しなくてもよい。
【００２５】
５１０に進み、ホストベースモビリティを判定する。この方法体系は、無線ネットワーク内のゲートウェイ装置と接続を確立し、ホームモビリティオプションを特定する設定パケットをそのゲートウェイ装置から受信することを含む。この方法体系はさらに、ホームネットワークプレフィックスを含むことができる、ホームモビリティオプションの少なくとも１つのホームネットワークアドレスを処理することを含む。この設定パケットは、プロトコル設定オプション（ＰＣＯ）に関連することができ、ゲートウェイ装置は、例えばパケットデータ網（ＰＤＮ）ゲートウェイとすることができる。非適応型ユーザ機器では、ホームネットワークアドレスを求めるために、インターネット鍵交換（ＩＫＥ）プロトコルによるブートストラップ動作を行うことができる。
【００２６】
５２０に進むと、この方法５００は、現在のアクセスリンクを介して告知されたプレフィックスを処理し、ホームネットワークプレフィックスを処理することにより、ホームリンクアドレスを復号することを含む。このホームネットワークプレフィックスは、ユーザ機器において静的に設定し、またはユーザ機器に動的に割り当てることができる。この方法５００は、５３０で、例えばホームリンクから外部リンクに移動するとき、インターネットプロトコル（ＩＰ）アドレスを保存することを含む。これは、前に割り当てられたＩＰアドレスが指示するホームエージェントエンティティに接続することを含むことができる。この方法は、プロトコル設定オプションによってＩＰアドレスを受け取り、そのＩＰアドレスを外部リンク上で使用することも含む。この方法５００は、５４０で、汎用パケット無線サービストンネリングプロトコル（ＧＴＰ）のアクセスポイント名（ＡＰＮ）と、ホームエージェントのアクセスポイント名（ＡＰＮ）との間でマッピングすることを含む。このマッピングには、パケットデータ網（ＰＤＮ）ゲートウェイ装置を指し示し、または指示するＡＰＮの種類を得ることにより、ＧＴＰとホームエージェントとの間で自動マッピングを行うことが含まれ得る。
【００２７】
この自動マッピングは、少なくとも１つのＡＰＮが、少なくとも１つのＰＤＮゲートウェイ装置へのアクセスを提供するＧＴＰ終端点を指示することを可能にすることを含む。別の態様では、この自動マッピングは、少なくとも１つのホームエージェントのＡＰＮが、少なくとも１つのＰＤＮゲートウェイ装置へのアクセスを提供するデュアルスタックモバイル・インターネットプロトコル（ＤＳＭＩＰ）終端点を指示することを可能にする。さらに別の態様では、この自動マッピングは、少なくとも１つのローカルモビリティエージェントのＡＰＮが、少なくとも１つのＰＤＮゲートウェイ装置へのアクセスを提供するプロキシモバイル・インターネットプロトコル（ＰＭＩＰ）終端点を指示することを可能にする。静的実装形態では、１つまたは複数のインターフェースを介してＡＰＮ間で情報をマップすることができる。上述のホームネットワークアドレスは、例えばデュアルスタックモバイル・インターネットプロトコル（ＤＳＭＩＰ）やプロキシモバイル・インターネットプロトコル（ＰＭＩＰ）に関連することができる。
【００２８】
本明細書に記載の技法は、様々な手段によって実装することができる。例えば、これらの技法は、ハードウェア、ソフトウェア、またはその組合せによって実装することができる。ハードウェアによる実装ではこれらの処理ユニットを、１つまたは複数の特定用途向け集積回路（ＡＳＩＣ）、デジタル信号プロセッサ（ＤＳＰ）、デジタル信号処理装置（ＤＳＰＤ）、プログラム可能論理素子（ＰＬＤ）、書換え可能ゲートアレイ（ＦＰＧＡ）、プロセッサ、コントローラ、マイクロコントローラ、マイクロプロセッサ、本明細書に記載の機能を実行するように設計される他の電子ユニット、またはその組合せによって実装することができる。ソフトウェア実装に関しては、実装は本明細書に記載の機能を実行するモジュール（例えばプロシージャ、関数など）によるものとすることができる。ソフトウェアコードはメモリユニットに記憶し、プロセッサによって実行することができる。
【００２９】
次に図６および図７に移り、無線信号の処理に関係するシステムを示す。これらのシステムは、プロセッサ、ソフトウェア、ハードウェア、ファームウェア、またはその任意の適切な組合せによって実装される機能を表すことができる、互いに関係する一連の機能ブロックとして表す。
【００３０】
図６を参照して、無線通信システム６００を示す。このシステム６００は、無線ネットワークを介してホームネットワークリンク情報を受信するための論理モジュール６０２を含む。このシステム６００は、無線ネットワークを通じて動的設定オプションパケットを受信するための論理モジュール６０４を含む。このシステム６００は、その動的設定オプションパケットの少なくとも１つのホームネットワークアドレスを処理するための論理モジュール６０６も含む。
【００３１】
図７を参照して、無線通信システム７００を示す。このシステム７００は、無線ネットワークを介してホームネットワークリンク情報を生成するための論理モジュール７０２を含む。このシステム７００は、無線ネットワークを通じて動的設定オプションパケットを生成するための論理モジュール７０４を含む。このシステム７００は、その動的設定オプションパケットに従い、少なくとも１つのホームネットワークプレフィックスを処理するための論理モジュール７０６も含む。
【００３２】
図８は、例えば無線端末などの無線通信機器とすることができる通信機器８００を示す。さらに、またあるいは、通信機器８００は有線ネットワークの中にあることができる。通信機器８００は、無線通信端末内で信号分析を実行するための命令を保持することができる、メモリ８０２を含むことができる。さらに、通信機器８００は、メモリ８０２内の命令および／または別のネットワーク装置から受信する命令を実行することができるプロセッサ８０４を含むことができ、その命令は、通信機器８００または関係する通信機器を設定し、もしくは動作させることに関係することができる。
【００３３】
図９を参照して、多元接続無線通信システム９００を示す。この多元接続無線通信システム９００は、セル９０２、９０４、および９０６を含む、複数のセルを含む。この態様では、システム９００、セル９０２、９０４、および９０６は、複数のセクタを含むＮｏｄｅ  Ｂを含むことができる。この複数のセクタは、セルの一部分の中で各アンテナがＵＥとの通信に関与する、アンテナ群によって形成することができる。例えばセル９０２では、アンテナ群９１２、９１４、および９１６が、異なるセクタにそれぞれ対応することができる。セル９０４では、アンテナ群９１８、９２０、および９２２が、異なるセクタにそれぞれ対応する。セル９０６では、アンテナ群９２４、９２６、および９２８が、異なるセクタにそれぞれ対応する。セル９０２、９０４、および９０６は、各セル９０２、９０４、または９０６の１つもしくは複数のセクタと通信することができる、いくつかの無線通信装置、例えばユーザ機器やＵＥを含むことができる。例えば、ＵＥ９３０およびＵＥ９３２は、Ｎｏｄｅ  Ｂ９４２と通信することができ、ＵＥ９３４およびＵＥ９３６は、Ｎｏｄｅ  Ｂ９４４と通信することができ、ＵＥ９３８およびＵＥ９４０は、Ｎｏｄｅ  Ｂ９４６と通信することができる。
【００３４】
次に図１０を参照して、一態様による、多元接続無線通信システムを示す。アクセスポイント１０００（ＡＰ）は、複数のアンテナ群を含み、１つが１００４および１００６を含み、もう１つが１００８および１０１０を含み、さらなるものが１０１２および１０１４を含む。図１０では、各アンテナ群について２つのアンテナしか図示しないが、各アンテナ群についてより多くのまたはより少ないアンテナを利用することができる。アクセス端末１０１６（ＡＴ）は、アンテナ１０１２および１０１４と通信し、アンテナ１０１２および１０１４は順方向リンク１０２０を介してアクセス端末１０１６に情報を伝送し、逆方向リンク１０１８を介してアクセス端末１０１６から情報を受信する。アクセス端末１０２２は、アンテナ１００６および１００８と通信し、アンテナ１００６および１００８は順方向リンク１０２６を介してアクセス端末１０２２に情報を伝送し、逆方向リンク１０２４を介してアクセス端末１０２２から情報を受信する。ＦＤＤシステムでは、通信リンク１０１８、１０２０、１０２４、および１０２６は通信用に個別の周波数を使用することができる。例えば、順方向リンク１０２０は、逆方向リンク１０１８が使用する周波数とは異なる周波数を使用することができる。
【００３５】
各アンテナ群および／またはそれらのアンテナ群が通信するように意図されるエリアは、多くの場合アクセスポイントのセクタと呼ばれる。アンテナ群のそれぞれは、アクセスポイント１０００がカバーするエリアのセクタ内のアクセス端末と通信するように意図される。順方向リンク１０２０および１０２６を介した通信では、アクセスポイント１０００の伝送アンテナは、個別のアクセス端末１０１６および１０２４の順方向リンクのＳＮ比を改善するためにビーム形成を利用する。また、自らのカバレッジの至る所に無作為に分散するアクセス端末に伝送するためにビーム形成を使用するアクセスポイントは、自らのすべてのアクセス端末に対して単一のアンテナを介して伝送するアクセスポイントよりも、隣接するセル内のアクセス端末に対して引き起こす干渉が少ない。アクセスポイントは、端末と通信するために使用する固定局とすることができ、アクセスポイント、Ｎｏｄｅ  Ｂ、または他の何らかの用語で呼ぶこともできる。アクセス端末は、アクセス端末、ユーザ機器（ＵＥ）、無線通信装置、端末、アクセス端末、または他の何らかの用語で呼ぶこともできる。
【００３６】
図１１を参照すると、システム１１００が、ＭＩＭＯシステム１１００内の送信機システム２１０（アクセスポイントとしても知られる）、および受信機システム１１５０（アクセス端末としても知られる）を示す。送信機システム１１１０において、いくつかのデータストリームのトラフィックデータが、データ送信装置１１１２から伝送（ＴＸ）データプロセッサ１１１４に提供される。各データストリームは、個々の伝送アンテナを介して伝送される。ＴＸデータプロセッサ１１１４は、符号化データを提供するためにそのデータストリームについて選択される特定の符号化方式に基づいて、データストリームごとのトラフィックデータをフォーマットし、符号化し、インタリーブする。
【００３７】
データストリームごとの符号化データは、ＯＦＤＭ技法を使用し、パイロットデータと多重化することができる。このパイロットデータは、典型的には知られている方法で処理される、知られているデータパターンであり、チャネル応答を推定するために受信機システムにおいて使用することができる。次いで、このデータストリームごとの多重化されたパイロットおよび符号化データを、変調シンボルを提供するためにそのデータストリームについて選択される特定の変調方式（例えばＢＰＳＫ、ＱＳＰＫ、Ｍ−ＰＳＫ、またはＭ−ＱＡＭ）に基づいて変調（すなわちシンボル・マップ）する。データストリームごとのデータ転送率、符号化、および変調は、プロセッサ１１３０が実行する命令によって決定することができる。
【００３８】
次いで、すべてのデータストリームの変調シンボルを、（例えばＯＦＤＭに関して）この変調シンボルをさらに処理することができるＴＸ  ＭＩＭＯプロセッサ１１２０に提供する。次いで、ＴＸ  ＭＩＭＯプロセッサ１１２０は、ＮＴ変調シンボルストリームをＮＴ送信機（ＴＭＴＲ）１１２２ａ〜１１２２ｔに提供する。特定の実施形態では、ＴＸ  ＭＩＭＯプロセッサ１１２０は、データストリームの記号およびその記号を伝送するアンテナに対してビーム形成重みを適用する。
【００３９】
各送信機１１２２は、１つまたは複数のアナログ信号を提供するために個々の記号ストリームを受け取り、処理し、ＭＩＭＯチャネルを介して伝送するのに適した変調信号を得るためにそのアナログ信号をさらに調整（例えば増幅、フィルタリング、アップコンバート）する。次いで、送信機１１２２ａ〜１１２２ｔのＮＴ変調信号を、ＮＴアンテナ１１２４ａ〜１１２４ｔからそれぞれ伝送する。
【００４０】
受信機システム１１５０において、伝送された変調信号をＮＲアンテナ１１５２ａ〜１１５２ｒによって受信し、各アンテナ１１５２からの受信信号を個々の受信機（ＲＣＶＲ）１１５４ａ〜１１５４ｒに提供する。各受信機１１５４は、個々の受信信号を調整（例えばフィルタ、増幅、ダウンコンバート）し、サンプルを得るためにその調整した信号をデジタル化し、対応する「受信」記号ストリームを得るためにそのサンプルをさらに処理する。
【００４１】
次いで、ＲＸデータプロセッサ１１６０が、ＮＴによる「検出」記号ストリームを得るための特定の受信機処理技法に基づいて、ＮＲ受信機１１５４からのＮＲ受信記号ストリームを受け取り、処理する。次いで、このＲＸデータプロセッサ１１６０は、データストリームのトラフィックデータを回復するために、各検出記号ストリームを復調し、ディインタリーブし、復号する。ＲＸデータプロセッサ１１６０による処理は、送信機システム１１１０において、ＴＸ  ＭＩＭＯプロセッサ１１２０およびＴＸデータプロセッサ１１１４が実行する処理を補完するものである。
【００４２】
プロセッサ１１７０は、どの先符号化行列を使用するのかを周期的に決定する（以下に論じる）。プロセッサ１１７０は、行列インデックス部とランク値部とを備える逆方向リンクメッセージを構築する。この逆方向リンクメッセージは、通信リンクおよび／または受信したデータストリームに関する様々な種類の情報を備えることができる。次いで、この逆方向リンクメッセージを、データ送信装置１１３６からいくつかのデータストリームのトラフィックデータも受け取るＴＸデータプロセッサ１１３８によって処理し、変調器１１８０によって変調し、送信機１１５４ａ〜１１５４ｒによって調整し、送信機システム１１１０に送り返す。
【００４３】
送信機システム１１１０において、受信機システム１１５０が伝送したリンク確保メッセージを抽出するために、受信機システム１１５０からの変調信号をアンテナ１１２４によって受信し、受信機１１２２によって調整し、復調器１１４０によって復調し、ＲＸデータプロセッサ１１４２によって処理する。次いで、プロセッサ１１３０が、ビーム形成重みを決定するためにどの先符号化行列を使用するのかを決定し、次いで抽出したメッセージを処理する。
【００４４】
一態様では、論理チャネルを、制御チャネルとトラフィックチャネルとに分類する。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。マルチメディアブロードキャストおよびマルチキャストサービス（ＭＢＭＳ）スケジューリングならびに１つまたは複数のＭＴＣＨ用の制御情報を伝送するために使用する、ポイントツーマルチポイントＤＬチャネルであるマルチキャスト制御チャネル（ＭＣＣＨ）。ほとんどの場合、ＲＲＣ接続を確立した後、このチャネルはＭＢＭＳ（注：旧ＭＣＣＨ＋ＭＳＣＨ）を受信するＵＥしか使用しない。専用制御チャネル（ＤＣＣＨ）は、専用制御情報を伝送し、ＲＲＣ接続を有するＵＥが使用する二地点間の双方向チャネルである。論理トラフィックチャネルは、ユーザ情報を転送するための、１台のＵＥ専用の二地点間の双方向チャネルである専用トラフィックチャネル（ＤＴＣＨ）を備える。また、トラフィックデータを伝送するためのポイントツーマルチポイントＤＬチャネルの、マルチキャストトラフィックチャネル（ＭＴＣＨ）。
【００４５】
トランスポートチャネルは、ＤＬとＵＬとに分類される。ＤＬトランスポートチャネルは、ブロードキャストチャネル（ＢＣＨ）、ダウンリンク共有データチャネル（ＤＬ−ＳＤＣＨ）、およびページングチャネル（ＰＣＨ）を備え、このＰＣＨは、ＵＥの省力化をサポートし（ネットワークによってＤＲＸサイクルがＵＥに指示される）、セル全体にわたってブロードキャストされ、他の制御／トラフィックチャネルに使用することができるＰＨＹリソースにマップされる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備える。このＰＨＹチャネルは、１組のＤＬチャネルおよびＵＬチャネルを備える。
【００４６】
このＤＬ  ＰＨＹチャネルは、例えば、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、およびロードインジケータチャネル（ＬＩＣＨ）を備える。
【００４７】
このＵＬ  ＰＨＹチャネルは、例えば、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、およびブロードバンドパイロットチャネル（ＢＰＩＣＨ）を備える。
【００４８】
他の用語／コンポーネントには、３Ｇ  第３世代、３ＧＰＰ  第３世代移動体通信システム標準化プロジェクト、ＡＣＬＲ  隣接チャネル漏洩電力比、ＡＣＰＲ  隣接チャネル電力比、ＡＣＳ  隣接チャネル選択度、ＡＤＳ  高度設計システム、ＡＭＣ  適応変調／符号化、Ａ−ＭＰＲ  追加最大電力低減、ＡＲＱ  自動再送要求、ＢＣＣＨ  ブロードキャスト制御チャネル、ＢＴＳ  トランシーバ基地局、ＣＤＤ  巡回遅延ダイバーシティ、ＣＣＤＦ  相補累積分布関数、ＣＤＭＡ  符号分割多元接続、ＣＦＩ  制御フォーマットインジケータ、Ｃｏ−ＭＩＭＯ  協調ＭＩＭＯ、ＣＰ  巡回プレフィックス、ＣＰＩＣＨ
共通パイロットチャネル、ＣＰＲＩ  共通公開無線インターフェース、ＣＱＩ  チャネル品質インジケータ、ＣＲＣ  巡回冗長検査、ＤＣＩ  ダウンリンク制御インジケータ、ＤＦＴ  離散フーリエ変換、ＤＦＴ−ＳＯＦＤＭ  離散フーリエ変換拡張ＯＦＤＭ、ＤＬ
ダウンリンク（基地局から加入者局への伝送）、ＤＬ−ＳＣＨ  ダウンリンク共有チャネル、Ｄ−ＰＨＹ  ５００Ｍｂｐｓ物理層、ＤＳＰ  デジタル信号処理、ＤＴ  開発ツールセット、ＤＶＳＡ  デジタルベクトル信号解析、ＥＤＡ  電子設計自動化、Ｅ−ＤＣＨ
強化型専用チャネル、Ｅ−ＵＴＲＡＮ  発展型ＵＭＴＳ地上無線アクセスネットワーク、ｅＭＢＭＳ  発展型マルチメディアブロードキャストマルチキャストサービス、ｅＮＢ
発展型ノードＢ、ＥＰＣ  発展型パケットコア、ＥＰＲＥ  リソース要素あたりのエネルギー、ＥＴＳＩ  ヨーロッパ電気通信標準協会、Ｅ−ＵＴＲＡ  発展型ＵＴＲＡ、Ｅ−ＵＴＲＡＮ  発展型ＵＴＲＡＮ、ＥＶＭ  エラーベクトル振幅、およびＦＤＤ  周波数分割二重が含まれる。
【００４９】
さらに他の用語には、ＦＦＴ  高速フーリエ変換、ＦＲＣ  固定基準チャネル、ＦＳ１
フレーム構造タイプ１、ＦＳ２  フレーム構造タイプ２、ＧＳＭ（登録商標）  グローバルシステムフォーモバイルコミュニケーション、ＨＡＲＱ  ハイブリッド自動再送要求、ＨＤＬ  ハードウェア記述言語、ＨＩ  ＨＡＲＱインジケータ、ＨＳＤＰＡ  高速ダウンリンクパケットアクセス、ＨＳＰＡ  高速パケットアクセス、ＨＳＵＰＡ  高速アップリンクパケットアクセス、ＩＦＦＴ  逆ＦＦＴ、ＩＯＴ  相互運用性テスト、ＩＰ  インターネットプロトコル、ＬＯ  ローカル発振器、ＬＴＥ  ロングタームエボリューション、ＭＡＣ  媒体アクセス制御、ＭＢＭＳ  マルチメディアブロードキャストマルチキャストサービス、ＭＢＳＦＮ  マルチキャスト／ブロードキャストオーバシングル周波数ネットワーク、ＭＣＨ  マルチキャストチャネル、ＭＩＭＯ  多入力多出力、ＭＩＳＯ  多入力単一出力、ＭＭＥ  モビリティ管理エンティティ、ＭＯＰ  最大出力、ＭＰＲ  最大電力低減、ＭＵ−ＭＩＭＯ  マルチユーザＭＩＭＯ、ＮＡＳ  非アクセス階層、ＯＢＳＡＩ
オープン基地局アーキテクチャインターフェース、ＯＦＤＭ  直交周波数分割多重化、ＯＦＤＭＡ  直交周波数分割多元接続、ＰＡＰＲ  ピーク対平均電力比、ＰＡＲ  ピーク対平均値比、ＰＢＣＨ  物理ブロードキャストチャネル、Ｐ−ＣＣＰＣＨ  プライマリ共通制御物理チャネル、ＰＣＦＩＣＨ  物理制御フォーマットインジケータチャネル、ＰＣＨ  ページングチャネル、ＰＤＣＣＨ  物理ダウンリンク制御チャネル、ＰＤＣＰ  パケットデータコンバージェンスプロトコル、ＰＤＳＣＨ  物理ダウンリンク共有チャネル、ＰＨＩＣＨ  物理ハイブリッドＡＲＱインジケータチャネル、ＰＨＹ  物理層、ＰＲＡＣＨ  物理ランダムアクセスチャネル、ＰＭＣＨ  物理マルチキャストチャネル、ＰＭＩ  先符号化行列インジケータ、Ｐ−ＳＣＨ  プライマリ同期信号、ＰＵＣＣＨ  物理アップリンク制御チャネル、およびＰＵＳＣＨ  物理アップリンク共有チャネルが含まれる。
【００５０】
他の用語には、ＱＡＭ  直交振幅変調、ＱＰＳＫ  ４相位相シフトキーイング、ＲＡＣＨ  ランダムアクセスチャネル、ＲＡＴ  無線アクセス技術、ＲＢ  リソースブロック、ＲＦ  無線周波数、ＲＦＤＥ  ＲＦ設計環境、ＲＬＣ  無線リンク制御、ＲＭＣ  基準測定チャネル、ＲＮＣ  無線ネットワークコントローラ、ＲＲＣ  無線リソース制御、ＲＲＭ  無線リソース管理、ＲＳ  基準信号、ＲＳＣＰ  受信信号符号電力、ＲＳＲＰ  基準信号受信電力、ＲＳＲＱ  基準信号受信品質、ＲＳＳＩ  受信信号強度インジケータ、ＳＡＥ  システムアーキテクチャエボリューション、ＳＡＰ  サービスアクセスポイント、ＳＣ−ＦＤＭＡ  単一搬送波周波数分割多元接続、ＳＦＢＣ  空間−周波数ブロック符号化、Ｓ−ＧＷ  サービスゲートウェイ、ＳＩＭＯ  単一入力多出力、ＳＩＳＯ  単一入力単一出力、ＳＮＲ  信号対雑音比、ＳＲＳ  サウンディング基準信号、Ｓ−ＳＣＨ  ２次同期信号、ＳＵ−ＭＩＭＯ  シングルユーザＭＩＭＯ、ＴＤＤ  時分割二重、ＴＤＭＡ  時分割多元接続、ＴＲ  テクニカルレポート、ＴｒＣＨ  トランスポートチャネル、ＴＳ
技術仕様、ＴＴＡ  Ｔｅｌｅｃｏｍｍｕｎｉｃａｔｉｏｎｓ  Ｔｅｃｈｎｏｌｏｇｙ  Ａｓｓｏｃｉａｔｉｏｎ、ＴＴＩ  伝送時間間隔、ＵＣＩ  アップリンク制御インジケータ、ＵＥ  ユーザ機器、ＵＬ  アップリンク（加入者局から基地局への伝送）、ＵＬ−ＳＣＨ  アップリンク共有チャネル、ＵＭＢ  ウルトラモバイルブロードバンド、ＵＭＴＳ
ユニバーサルモバイル通信システム、ＵＴＲＡ  ユニバーサル地上無線アクセス、ＵＴＲＡＮ  ユニバーサル地上無線アクセスネットワーク、ＶＳＡ  ベクトル信号アナライザ、Ｗ−ＣＤＭＡ  広帯域符号分割多元接続が含まれる。
【００５１】
本明細書では、様々な態様を端末に関連して記載していることを指摘しておく。端末は、システム、ユーザ装置、加入者ユニット、加入者局、移動局、移動体装置、遠隔局、遠隔端末、アクセス端末、ユーザ端末、ユーザエージェント、またはユーザ機器とも呼ぶことができる。ユーザ装置は、携帯電話、コードレス電話、セッション開始プロトコル（ＳＩＰ）電話、無線ローカルループ（ＷＬＬ）局、ＰＤＡ、無線接続機能を有するハンドヘルド装置、端末内のモジュール、ホスト装置に付加または統合可能なカード（例えばＰＣＭＣＩＡカード）、または無線モデムに接続される他の処理装置とすることができる。
【００５２】
さらに、特許請求の範囲に記載の主題の態様は、特許請求の範囲に記載の主題の様々な態様を実施するようにコンピュータまたはコンピューティングコンポーネントを制御するために、ソフトウェア、ファームウェア、ハードウェア、もしくはその任意の組合せを作成するための標準的プログラミング技法および／またはエンジニアリング技法を使用し、方法、機器、または製品として実施することができる。本明細書で使用するとき、用語「製品」は、任意のコンピュータ可読装置、搬送波、または媒体からアクセス可能なコンピュータプログラムを包含することを意図する。例えば、コンピュータ可読媒体には、磁気記憶装置（例えばハードディスク、フロッピディスク、磁気ストリップ等）、光ディスク（例えばＣＤ（コンパクトディスク）、ＤＶＤ（デジタル多用途ディスク）等）、スマートカード、およびフラッシュメモリ素子（例えばカード、スティック、キードライブ等）が含まれ得るが、これだけに限定されない。さらに、ボイスメールを送受信する際、またはセルラネットワークなどのネットワークにアクセスする際に使用するものなど、コンピュータ可読電子データを運ぶために搬送波を使用できることを理解すべきである。当然、本明細書に記載した内容の範囲または趣旨から逸脱することなく、この構成に多くの修正を加えることができることを当業者なら理解されよう。
【００５３】
本出願で使用するとき、用語「コンポーネント」、「モジュール」、「システム」、「プロトコル」等は、コンピュータ関連エンティティである、ハードウェア、ハードウェアとソフトウェアとの組合せ、ソフトウェア、または実行中のソフトウェアを指すことを意図する。例えばコンポーネントは、これだけに限定されないが、プロセッサ上で実行されるプロセス、プロセッサ、オブジェクト、実行ファイル、実行スレッド、プログラム、および／またはコンピュータとすることができる。例として、サーバ上で実行されるアプリケーションとサーバとはどちらもコンポーネントであり得る。あるプロセスおよび／または実行スレッド内には１つもしくは複数のコンポーネントがあってよく、コンポーネントは１台のコンピュータ上に局在化しかつ／または２台以上のコンピュータ間に分散させることができる。
【００５４】
上述の内容は、１つまたは複数の実施形態例を含む。上記の実施形態を説明するために、コンポーネントまたは方法体系の考えられるすべての組合せを記載することは当然できないが、様々な実施形態についての多くのさらなる組合せおよび置換が可能であることを当業者なら理解することができる。したがって、記載した実施形態は、添付の特許請求の範囲に記載の趣旨および範囲に含まれるすべての変更形態、修正形態、および改変形態を包含することを意図する。さらに、用語「含む（ｉｎｃｌｕｄｅｓ）」を詳細な説明または特許請求の範囲の中で使用する限りにおいて、この用語は、用語「備える（ｃｏｍｐｒｉｓｉｎｇ）」を請求項の中で移行語として使用する場合に解釈される「備える」と同じように、包含的であることを意図する。
【図１】
2014241612.tif 000003
【図２】
2014241612.tif 000004
【図３】
2014241612.tif 000005
【図４】
2014241612.tif 000006
【図５】
2014241612.tif 000007
【図６】
2014241612.tif 000008
【図７】
2014241612.tif 000009
【図８】
2014241612.tif 000010
【図９】
2014241612.tif 000011
【図１０】
2014241612.tif 000012
【図１１】
2014241612.tif 000013
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
無線通信のための方法であって、
無線ネットワーク内のゲートウェイ装置と接続を確立することと、
ホームモビリティオプションを特定する設定パケットを前記ゲートウェイ装置から受信することと、
前記ホームモビリティオプションからの少なくとも１つのホームネットワークアドレスを処理することと、
前記少なくとも１つのホームネットワークアドレスがデュアルスタックモバイルインターネットプロトコルに関連するかどうかを前記ホームモビリティオプションに基づいて判定することと、
汎用パケット無線サービストンネリングプロトコル（ＧＴＰ）のアクセスポイント名（ＡＰＮ）と、ホームエージェントのＡＰＮとの間のマッピングを行うことと
を実施するために、コンピュータ可読記憶媒体に記憶されたコンピュータ実行可能命令を実行するプロセッサを使用することを備える方法。
【請求項２】
前記ホームモビリティオプションからのホームネットワークプレフィックスを受け取ることをさらに備える、請求項１に記載の方法。
【請求項３】
前記設定パケットがプロトコル設定オプション（ＰＣＯ）に関連する、請求項１に記載の方法。
【請求項４】
前記ゲートウェイ装置がパケットデータ網（ＰＤＮ）ゲートウェイである、請求項１に記載の方法。
【請求項５】
前記ホームネットワークアドレスを求めるために、インターネット鍵交換（ＩＫＥ）プロトコルによるブートストラップ動作を行うことをさらに備える、請求項１に記載の方法。
【請求項６】
現在のアクセスリンクを介して告知されたプレフィックスを処理することと、ホームネットワークプレフィックスを処理することとにより、ホームリンクアドレスを復号することをさらに備える、請求項１に記載の方法。
【請求項７】
前記ホームネットワークプレフィックスは、ユーザ機器において静的に設定されるか、または前記ユーザ機器に動的に割り当てられる、請求項６に記載の方法。
【請求項８】
ホームリンクから外部リンクに移動するとき、インターネットプロトコル（ＩＰ）アドレスを保存することをさらに備える、請求項１に記載の方法。
【請求項９】
前に割り当てられたＩＰアドレスが指示するホームエージェントエンティティに接続することをさらに備える、請求項８に記載の方法。
【請求項１０】
プロトコル設定オプションを介して前記ＩＰアドレスを受け取ることと、前記ＩＰアドレスを前記外部リンク上で使用することとをさらに備える、請求項９に記載の方法。
【請求項１１】
パケットデータ網（ＰＤＮ）ゲートウェイ装置を指し示すＡＰＮの種類を得ることにより、前記ＧＴＰと前記ホームエージェントとの間の自動マッピングを行うことをさらに備える、請求項１に記載の方法。
【請求項１２】
前記自動マッピングは、少なくとも１つのＡＰＮに、少なくとも１つのＰＤＮゲートウェイ装置へのアクセスを提供するＧＴＰ終端点を指示することを可能にさせることをさらに備える、請求項１１に記載の方法。
【請求項１３】
前記自動マッピングは、少なくとも１つのホームエージェントのＡＰＮに、少なくとも１つのＰＤＮゲートウェイ装置へのアクセスを提供するデュアルスタックモバイルインターネットプロトコル終端点を指示することを可能にさせることをさらに備える、請求項１１に記載の方法。
【請求項１４】
前記自動マッピングは、少なくとも１つのローカルモビリティエージェントのＡＰＮに、少なくとも１つのＰＤＮゲートウェイ装置へのアクセスを提供するプロキシモバイルインターネットプロトコル（ＰＭＩＰ）終端点を指示することを可能にさせることをさらに備える、請求項１１に記載の方法。
【請求項１５】
１つまたは複数のインターフェースを介してＡＰＮ間で情報をマップすることをさらに備える、請求項１に記載の方法。
【請求項１６】
前記ホームネットワークアドレスが、前記デュアルスタックモバイルインターネットプロトコルまたはプロキシモバイルインターネットプロトコル（ＰＭＩＰ）に関連する、請求項１に記載の方法。
【請求項１７】
少なくとも１つの無線装置と少なくとも１つのゲートウェイ装置との間にリンクを確立し、
前記ゲートウェイ装置を介して動的割当を受け取り、
前記割当によってホームネットワークプレフィックスを受け取り、
前記ホームネットワークプレフィックスがデュアルスタックモバイルインターネットプロトコルに関連するかどうかを前記動的割当に基づいて判定し、
汎用パケット無線サービストンネリングプロトコル（ＧＴＰ）のアクセスポイント名（ＡＰＮ）と、ホームエージェントのＡＰＮとの間のマッピングを行う
ための命令を保持するメモリと、
前記命令を実行するプロセッサと
を備える、通信機器。
【請求項１８】
前記割当によってホームネットワークアドレスを受け取ることをさらに備える、請求項１７に記載の機器。
【請求項１９】
前記ゲートウェイ装置がパケットデータ網ゲートウェイである、請求項１７に記載の機器。
【請求項２０】
非適応型装置を設定するために、インターネット鍵交換プロトコルを使用することをさらに備える、請求項１７に記載の機器。
【請求項２１】
前記ホームネットワークプレフィックスは、ユーザ機器において静的に設定されるか、または前記ユーザ機器に動的に割り当てられる、請求項１７に記載の機器。
【請求項２２】
ホームリンクから外部リンクに移動するとき、インターネットプロトコル（ＩＰ）アドレスを保存するためのコンポーネントをさらに備える、請求項１７に記載の機器。
【請求項２３】
無線ネットワークを介してホームネットワークリンク情報を受信するための手段と、
前記無線ネットワークを通じて動的設定オプションパケットを受信するための手段と、
前記動的設定オプションパケットからの少なくとも１つのホームネットワークアドレスを処理するための手段と、
前記少なくとも１つのホームネットワークアドレスがデュアルスタックモバイルインターネットプロトコルに関連するかどうかを前記動的設定オプションパケットに基づいて判定するための手段と
汎用パケット無線サービストンネリングプロトコル（ＧＴＰ）のアクセスポイント名（ＡＰＮ）と、ホームエージェントのＡＰＮとの間のマッピングを行うための手段と
を備える、通信機器。
【請求項２４】
前記動的設定オプションパケットがホームネットワークプレフィックスを含む、請求項２３に記載の機器。
【請求項２５】
命令を備えた非一時的なコンピュータ可読記録媒体であって、前記命令は、
無線ネットワークを通じて設定オプションパケットを受信し、
前記設定オプションパケットによってホームネットワークアドレス（ＨＮＡ）を受け取り、
前記設定オプションパケットによってホームネットワークプレフィックス（ＨＮＰ）を受け取り、ここで、前記ＨＮＡまたは前記ＨＮＰは、ホームネットワーク接続を確立するために使用される、
前記ＨＮＡがデュアルスタックモバイルインターネットプロトコルに関連するかどうかを前記設定オプションパケットに基づいて判定し、
汎用パケット無線サービストンネリングプロトコル（ＧＴＰ）のアクセスポイント名（ＡＰＮ）と、ホームエージェントのＡＰＮとの間のマッピングを行う
ように実行可能である、非一時的なコンピュータ可読記録媒体。
【請求項２６】
前記ＨＮＡまたは前記ＨＮＰが、前記デュアルスタックモバイルインターネットプロトコルまたはプロキシモバイルインターネットプロトコル（ＰＭＩＰ）に関連する、請求項２５に記載の非一時的なコンピュータ可読記録媒体。
【請求項２７】
前記設定オプションパケットは、ネットワークゲートウェイ装置から受信される、請求項２５に記載の非一時的なコンピュータ可読記録媒体。
【請求項２８】
メモリに記憶された命令を実行するプロセッサを備えた機器であって、前記命令は、
無線ネットワークを通じて動的ネットワーク割当を受信し、
前記動的割当によるホームネットワークアドレス（ＨＮＡ）を処理し、
前記動的割当によるホームネットワークプレフィックス（ＨＮＰ）を処理し、ここで、前記ＨＮＡまたは前記ＨＮＰは、ホームネットワーク接続を確立するために使用される、
前記ＨＮＡがデュアルスタックモバイルインターネットプロトコルに関連するかどうかを前記動的割当に基づいて判定し、
汎用パケット無線サービストンネリングプロトコル（ＧＴＰ）のアクセスポイント名（ＡＰＮ）と、ホームエージェントのＡＰＮとの間のマッピングを行う
ように実行可能である、機器。
【請求項２９】
前記動的ネットワーク割当が、ホームリンクから外部リンクにネットワーク割当を移すためのコンポーネントに関連する、請求項２８に記載の機器。
【請求項３０】
少なくとも２つのゲートウェイコンポーネント間でプロトコルをマップするためのコンポーネントをさらに備える、請求項２８に記載の機器。
【請求項３１】
無線通信のための方法であって、
無線ネットワーク内の無線装置と接続を確立することと、
ホームモビリティオプションを特定する設定パケットを生成することと、
前記ホームモビリティオプションに従い、少なくとも１つのホームネットワークプレフィックスを生成することと、
前記少なくとも１つのホームネットワークプレフィックスがデュアルスタックモバイルインターネットプロトコルに関連するかどうかを前記ホームモビリティオプションに基づいて判定することと、
汎用パケット無線サービストンネリングプロトコル（ＧＴＰ）のアクセスポイント名（ＡＰＮ）と、ホームエージェントのＡＰＮとの間のマッピングを行うことと
を実施するために、コンピュータ可読記憶媒体に記憶されたコンピュータ実行可能命令を実行するプロセッサを使用することを備える方法。
【請求項３２】
前記ホームモビリティオプションに従い、ホームネットワークアドレスを生成することをさらに備える、請求項３１に記載の方法。
【請求項３３】
前記設定パケットを生成するためにパケットデータ網（ＰＤＮ）ゲートウェイを利用することをさらに備える、請求項３１に記載の方法。
【請求項３４】
インターネット鍵交換（ＩＫＥ）プロトコルによるブートストラップ動作を行うことをさらに備える、請求項３１に記載の方法。
【請求項３５】
現在のアクセスリンクを介して告知されたプレフィックスを処理することと、ホームネットワークプレフィックスを処理することとにより、ホームリンクアドレスを符号化することをさらに備える、請求項３１に記載の方法。
【請求項３６】
前記ホームネットワークプレフィックスは、ユーザ機器において静的に設定されるか、または前記ユーザ機器に動的に割り当てられる、請求項３５に記載の方法。
【請求項３７】
ホームリンクから外部リンクに移動するとき、インターネットプロトコル（ＩＰ）アドレスを保存することをさらに備える、請求項３１に記載の方法。
【請求項３８】
少なくとも１つの無線装置と少なくとも１つのゲートウェイ装置との間にリンクを確立し、
前記ゲートウェイ装置によって動的割当を生成し、
前記割当によってホームネットワークプレフィックスを生成し、
前記ホームネットワークプレフィックスがデュアルスタックモバイルインターネットプロトコルに関連するかどうかを前記動的割当に基づいて判定し、
汎用パケット無線サービストンネリングプロトコル（ＧＴＰ）のアクセスポイント名（ＡＰＮ）と、ホームエージェントのＡＰＮとの間のマッピングを行う
ための命令を保持するメモリと、
前記命令を実行するプロセッサと
を備える、通信機器。
【請求項３９】
前記割当によってホームネットワークアドレスを生成することをさらに備える、請求項３８に記載の機器。
【請求項４０】
非適応型装置を設定するために、インターネット鍵交換プロトコルを使用することをさらに備える、請求項３８に記載の機器。
【請求項４１】
前記ホームネットワークプレフィックスは、ユーザ機器において静的に設定されるか、または前記ユーザ機器に動的に割り当てられる、請求項３８に記載の機器。
【請求項４２】
ホームリンクから外部リンクに移動するとき、インターネットプロトコル（ＩＰ）アドレスを保存するためのコンポーネントをさらに備える、請求項３８に記載の機器。
【請求項４３】
無線ネットワークを介してホームネットワークリンク情報を生成するための手段と、
前記無線ネットワークを通じて動的設定オプションパケットを生成するための手段と、
前記動的設定オプションパケットに従い、少なくとも１つのホームネットワークプレフィックスを処理するための手段と、
前記少なくとも１つのホームネットワークプレフィックスがデュアルスタックモバイルインターネットプロトコルに関連するかどうかを前記動的設定オプションパケットに基づいて判定するための手段と、
汎用パケット無線サービストンネリングプロトコル（ＧＴＰ）のアクセスポイント名（ＡＰＮ）と、ホームエージェントのＡＰＮとの間のマッピングを行うための手段と
を備える、通信機器。
【請求項４４】
前記動的設定オプションパケットがホームネットワークアドレスを含む、請求項４３に記載の機器。
【請求項４５】
命令を備える非一時的なコンピュータ可読記録媒体であって、前記命令は、
無線ネットワークを通じて設定オプションパケットを生成し、
前記設定オプションパケットによってホームネットワークアドレス（ＨＮＡ）を生成し、
前記設定オプションパケットによってホームネットワークプレフィックス（ＨＮＰ）を処理し、ここで、前記ＨＮＡまたは前記ＨＮＰは、ホームネットワーク接続を確立するために使用される、
前記ＨＮＡがデュアルスタックモバイルインターネットプロトコルに関連するかどうかを前記設定オプションパケットに基づいて判定し、
汎用パケット無線サービストンネリングプロトコル（ＧＴＰ）のアクセスポイント名（ＡＰＮ）と、ホームエージェントのＡＰＮとの間のマッピングを行う
ように実行可能である、非一時的なコンピュータ可読記録媒体。
【請求項４６】
前記ＨＮＡまたは前記ＨＮＰが、前記デュアルスタックモバイルインターネットプロトコルまたはプロキシモバイルインターネットプロトコル（ＰＭＩＰ）に関連する、請求項４５に記載の非一時的なコンピュータ可読記録媒体。
【請求項４７】
メモリに記憶された命令を実行するプロセッサを備えた機器であって、該命令は、
無線ネットワークを通じて動的ネットワーク割当を生成するし、
前記動的割当によってホームネットワークアドレス（ＨＮＡ）を処理し、
前記動的割当によってホームネットワークプレフィックス（ＨＮＰ）を生成し、ここで、前記ＨＮＡまたは前記ＨＮＰは、少なくとも１つのホームネットワーク接続を確立するために使用される、
前記ＨＮＡがデュアルスタックモバイルインターネットプロトコルに関連するかどうかを前記動的割当に基づいて判定し、
汎用パケット無線サービストンネリングプロトコル（ＧＴＰ）のアクセスポイント名（ＡＰＮ）と、ホームエージェントのＡＰＮとの間のマッピングを行う
ように実行可能である、機器。
【請求項４８】
前記動的ネットワーク割当が、ホームリンクから外部リンクにネットワーク割当を移すためのコンポーネントに関連する、請求項４７に記載の機器。
【手続補正２】
【補正対象書類名】明細書
【補正対象項目名】００５４
【補正方法】変更
【補正の内容】
【００５４】
上述の内容は、１つまたは複数の実施形態例を含む。上記の実施形態を説明するために、コンポーネントまたは方法体系の考えられるすべての組合せを記載することは当然できないが、様々な実施形態についての多くのさらなる組合せおよび置換が可能であることを当業者なら理解することができる。したがって、記載した実施形態は、添付の特許請求の範囲に記載の趣旨および範囲に含まれるすべての変更形態、修正形態、および改変形態を包含することを意図する。さらに、用語「含む（ｉｎｃｌｕｄｅｓ）」を詳細な説明または特許請求の範囲の中で使用する限りにおいて、この用語は、用語「備える（ｃｏｍｐｒｉｓｉｎｇ）」を請求項の中で移行語として使用する場合に解釈される「備える」と同じように、包含的であることを意図する。
以下に本願発明の当初の特許請求の範囲に記載された発明を付記する。
［Ｃ１］
無線通信のための方法、該方法は下記を備える：
コンピュータ可読記憶媒体に記憶されたコンピュータ実行可能命令を実行するプロセッサを使用して、下記動作を実施すること：
無線ネットワーク内のゲートウェイ装置と接続を確立すること；
ホームモビリティオプションを特定する設定パケットを前記ゲートウェイ装置から受信すること；および、
前記ホームモビリティオプションの少なくとも１つのホームネットワークアドレスを処理すること。
［Ｃ２］
前記ホームモビリティオプションから、ホームネットワークプレフィックスを受け取ることをさらに備える、Ｃ１に記載の方法。
［Ｃ３］
前記設定パケットがプロトコル設定オプションに関連する、Ｃ１に記載の方法。
［Ｃ４］
前記ゲートウェイ装置がＰＤＮゲートウェイである、Ｃ１に記載の方法。
［Ｃ５］
前記ホームネットワークアドレスを求めるために、インターネット鍵交換プロトコルによるブートストラップ動作を行うことをさらに備える、Ｃ１に記載の方法。
［Ｃ６］
現在のアクセスリンクを介して告知されるプレフィックスを処理し、ホームネットワークプレフィックスを処理することにより、ホームリンクアドレスを復号することをさらに備える、Ｃ１に記載の方法。
［Ｃ７］
前記ホームネットワークプレフィックスをユーザ機器において静的に設定し、または前記ユーザ機器に動的に割り当てる、Ｃ６に記載の方法。
［Ｃ８］
ホームリンクから外部リンクに移動するとき、ＩＰアドレスを保存することをさらに備える、Ｃ１に記載の方法。
［Ｃ９］
前に割り当てられたＩＰアドレスが指示するホームエージェントエンティティに接続することをさらに備える、Ｃ８に記載の方法。
［Ｃ１０］
プロトコル設定オプションによって前記ＩＰアドレスを受け取り、前記ＩＰアドレスを前記外部リンク上で使用する、Ｃ９に記載の方法。
［Ｃ１１］
汎用パケット無線サービストンネリングプロトコル（ＧＴＰ）のＡＰＮと、ホームエージェントのＡＰＮとの間でマッピングを行うことをさらに備える、Ｃ１に記載の方法。
［Ｃ１２］
ＰＤＮゲートウェイ装置を指し示すＡＰＮの種類を得ることにより、前記ＧＴＰと前記ホームエージェントとの間で自動マッピングを行うことをさらに備える、Ｃ１１に記載の方法。
［Ｃ１３］
前記自動マッピングは、少なくとも１つのＡＰＮが、少なくとも１つのＰＤＮゲートウェイ装置へのアクセスを提供するＧＴＰ終端点を指示することを可能にすることをさらに備える、Ｃ１２に記載の方法。
［Ｃ１４］
前記自動マッピングは、少なくとも１つのホームエージェントのＡＰＮが、少なくとも１つのＰＤＮゲートウェイ装置へのアクセスを提供するＤＳＭＩＰ終端点を指示することを可能にすることをさらに備える、Ｃ１２に記載の方法。
［Ｃ１５］
前記自動マッピングは、少なくとも１つのローカルモビリティエージェントのＡＰＮが、少なくとも１つのＰＤＮゲートウェイ装置へのアクセスを提供するＰＭＩＰ終端点を指示することを可能にすることをさらに備える、Ｃ１２に記載の方法。
［Ｃ１６］
１つまたは複数のインターフェースを介してＡＰＮ間で情報をマップすることをさらに備える、Ｃ１１に記載の方法。
［Ｃ１７］
前記ホームネットワークアドレスが、ＤＳＭＩＰまたはＰＭＩＰに関連する、Ｃ１に記載の方法。
［Ｃ１８］
少なくとも１つの無線装置と少なくとも１つのゲートウェイ装置との間にリンクを確立し、前記ゲートウェイ装置によって動的割当を受け取り、前記割当によってホームネットワークプレフィックスを受け取るための命令を保持するメモリと、
前記命令を実行するプロセッサと
を備える、通信機器。
［Ｃ１９］
前記割当によってホームネットワークアドレスを受け取ることをさらに備える、Ｃ１８に記載の機器。
［Ｃ２０］
前記ゲートウェイ装置がパケットデータ網ゲートウェイである、Ｃ１８に記載の機器。
［Ｃ２１］
非適応型装置を設定するために、インターネット鍵交換プロトコルを使用することをさらに備える、Ｃ１８に記載の機器。
［Ｃ２２］
前記ホームネットワークプレフィックスをユーザ機器において静的に設定し、または前記ユーザ機器に動的に割り当てる、Ｃ１８に記載の機器。
［Ｃ２３］
ホームリンクから外部リンクに移動するとき、ＩＰアドレスを保存するためのコンポーネントをさらに備える、Ｃ１８に記載の機器。
［Ｃ２４］
汎用パケット無線サービストンネリングプロトコル（ＧＴＰ）のＡＰＮと、ホームエージェントのＡＰＮとの間でマッピングを行うためのコンポーネントをさらに備える、Ｃ１８に記載の機器。
［Ｃ２５］
無線ネットワークを介してホームネットワークリンク情報を受信するための手段と、
前記無線ネットワークを通じて動的設定オプションパケットを受信するための手段と、
前記動的設定オプションパケットの少なくとも１つのホームネットワークアドレスを処理するための手段と
を備える、通信機器。
［Ｃ２６］
前記動的設定オプションパケットがホームネットワークプレフィックスを含む、Ｃ２５に記載の機器。
［Ｃ２７］
下記が記録されたコンピュータ可読記録媒体：
無線ネットワークを通じて設定オプションパケットを受信する動作を実装するＣＰＵ実行可能命令コード；
前記設定オプションパケットによってＨＮＡを受け取る動作を実装するＣＰＵ実行可能命令コード；
前記設定オプションパケットによってＨＮＰを受け取る動作を実装するＣＰＵ実行可能命令コード、
ただし、ホームネットワーク接続を確立するために前記ＨＮＡまたは前記ＨＮＰが使用される。
［Ｃ２８］
前記ＨＮＡまたは前記ＨＮＰが、ＤＳＭＩＰまたはＰＭＩＰに関連する、Ｃ２７に記載のコンピュータ可読記録媒体。
［Ｃ２９］
前記設定オプションパケットはネットワークゲートウェイ装置から受信される、Ｃ２７に記載のコンピュータ可読記録媒体。
［Ｃ３０］
下記を実行するプロセッサ：
無線ネットワークを通じて動的ネットワーク割当を受信すること；
前記動的割当によるＨＮＡを処理すること；
前記動的割当によるＨＮＰを処理すること、
ただし、少なくとも１つのホームネットワーク接続を確立するために前記ＨＮＡまたは前記ＨＮＰが使用される。
［Ｃ３１］
前記動的ネットワーク割当が、ホームリンクから外部リンクにネットワーク割当を移すためのコンポーネントに関連する、Ｃ３０に記載のプロセッサ。
［Ｃ３２］
少なくとも２つのゲートウェイコンポーネント間でプロトコルをマップするためのコンポーネントをさらに備える、Ｃ３０に記載のプロセッサ。
［Ｃ３３］
無線通信のための方法、該方法は下記を備える：
コンピュータ可読記憶媒体に記憶されたコンピュータ実行可能命令を実行するプロセッサを使用し、下記を実施すること：
無線ネットワーク内の無線装置と接続を確立すること；
ホームモビリティオプションを特定する設定パケットを生成すること；および、
前記ホームモビリティオプションに従い、少なくとも１つのホームネットワークプレフィックスを生成すること。
［Ｃ３４］
前記ホームモビリティオプションに従い、ホームネットワークアドレスを生成することをさらに備える、Ｃ３３に記載の方法。
［Ｃ３５］
前記設定パケットを生成するためにパケットデータ網（ＰＤＮ）ゲートウェイを利用することをさらに備える、Ｃ３３に記載の方法。
［Ｃ３６］
インターネット鍵交換プロトコルによるブートストラップ動作を行うことをさらに備える、Ｃ３３に記載の方法。
［Ｃ３７］
現在のアクセスリンクを介して告知されるプレフィックスを処理し、ホームネットワークプレフィックスを処理することにより、ホームリンクアドレスを符号化することをさらに備える、Ｃ３３に記載の方法。
［Ｃ３８］
前記ホームネットワークプレフィックスをユーザ機器において静的に設定し、または前記ユーザ機器に動的に割り当てる、Ｃ３７に記載の方法。
［Ｃ３９］
ホームリンクから外部リンクに移動するとき、ＩＰアドレスを保存することをさらに備える、Ｃ３３に記載の方法。
［Ｃ４０］
汎用パケット無線サービストンネリングプロトコル（ＧＴＰ）のＡＰＮと、ホームエージェントのＡＰＮとの間でマッピングを行うことをさらに備える、Ｃ３３に記載の方法。
［Ｃ４１］
少なくとも１つの無線装置と少なくとも１つのゲートウェイ装置との間にリンクを確立し、前記ゲートウェイ装置によって動的割当を生成し、前記割当によってホームネットワークプレフィックスを生成するための命令を保持するメモリと、
前記命令を実行するプロセッサと
を備える、通信機器。
［Ｃ４２］
前記割当によってホームネットワークアドレスを生成することをさらに備える、Ｃ４１に記載の機器。
［Ｃ４３］
非適応型装置を設定するために、インターネット鍵交換プロトコルを使用することをさらに備える、Ｃ４１に記載の機器。
［Ｃ４４］
前記ホームネットワークプレフィックスを前記ユーザ機器に動的に割り当てる、Ｃ４１に記載の機器。
［Ｃ４５］
ホームリンクから外部リンクに移動するとき、ＩＰアドレスを保存するためのコンポーネントをさらに備える、Ｃ４１に記載の機器。
［Ｃ４６］
無線ネットワークを介してホームネットワークリンク情報を生成するための手段と、
前記無線ネットワークを通じて動的設定オプションパケットを生成するための手段と、
前記動的設定オプションパケットに従い、少なくとも１つのホームネットワークプレフィックスを処理するための手段と
を備える、通信機器。
［Ｃ４７］
前記動的設定オプションパケットがホームネットワークアドレスを含む、Ｃ４６に記載の機器。
［Ｃ４８］
下記が記録されたコンピュータ可読記録媒体：
無線ネットワークを通じて設定オプションパケットを生成する動作を実装するＣＰＵ実行可能命令コード；
前記設定オプションパケットによってＨＮＡを生成する動作を実装するＣＰＵ実行可能命令コード；
前記設定オプションパケットによってＨＮＰを処理する動作を実装するＣＰＵ実行可能命令コード、
ただし、ホームネットワーク接続を確立するために前記ＨＮＡまたは前記ＨＮＰが使用される。
［Ｃ４９］
前記ＨＮＡまたは前記ＨＮＰが、ＤＳＭＩＰまたはＰＭＩＰに関連する、Ｃ４８に記載のコンピュータ可読媒体。
［Ｃ５０］
下記を実行するプロセッサ：
無線ネットワークを通じて動的ネットワーク割当を生成すること；
前記動的割当によるＨＮＡを処理すること；および、
前記動的割当によるＨＮＰを生成すること、
ただし、少なくとも１つのホームネットワーク接続を確立するために前記ＨＮＡまたは前記ＨＮＰが使用される。
［Ｃ５１］
前記動的ネットワーク割当が、ホームリンクから外部リンクにネットワーク割当を移すためのコンポーネントに関連する、Ｃ５０に記載のプロセッサ。
【外国語明細書】
2014241612000001.pdf